【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
情報処理装置と通信可能な画像処理装置であって、
前記情報処理装置と通信するための第一のプロトコルに基づいて、前記画像処理装置において実行されるサービスを管理する管理手段と、
前記情報処理装置から前記第一のプロトコルとは異なる第二のプロトコルに基づいて送信された、前記管理手段によって管理されるサービスを検索する為の検索要求を、受信する受信手段と、
前記受信手段によって受信された検索要求に応じて、前記管理手段にアクセスする為の宛先を前記情報処理装置に送信する送信手段と、
を有することを特徴とする画像処理装置。
【請求項２】
情報処理装置と通信可能な画像処理装置であって、
前記画像処理装置が提供する少なくとも一つ以上のサービスを、第一のプロトコルに基づいて管理する第一の管理手段と、
前記画像処理装置が提供する少なくとも一つ以上のサービスを、第二のプロトコルに基づいて管理する第二の管理手段と、
前記情報処理装置から前記第二のプロトコルに基づいて送信された、前記第一の管理手段によって管理されるサービスを検索する為の検索要求を受信する受信手段と、
前記受信手段によって受信された検索要求に応じて、該検索要求を満たす、前記第一の管理手段によって管理されたサービスの宛先を前記情報処理装置に送信する送信手段と、
を有することを特徴とする画像処理装置。
【請求項３】
前記第一の管理手段は、前記第一のプロトコルに基づいて前記情報処理装置から送信された検索要求に応じて、自身が管理するサービスを検索し、
前記第二の管理手段は、前記第二のプロトコルに基づいて前記情報処理装置から送信された検索要求に応じて、自身が管理するサービスを検索することを特徴とする請求項２記載の画像処理装置。
【請求項４】
前記第二の管理手段は、前記受信手段によって検索要求が受信されるのに応じて、前記第一の管理手段に対して前記第一のプロトコルに基づく検索要求を送信することを特徴とする請求項２又は３に記載の画像処理装置。
【請求項５】
前記第一の管理手段は、前記第二の管理手段から送信された検索要求に応じて、自身が管理するサービスを検索し、該検索要求を満たすサービスの宛先を前記第二の管理手段に送信することを特徴とする請求項４記載の画像処理装置。
【請求項６】
前記送信手段によって送信されるサービスの宛先は、該サービスにアクセスするためのＵＲＬであることを特徴とする請求項２乃至５の何れかに記載の画像処理装置。
【請求項７】
前記第一のプロトコルは、Ｗｅｂサービスのプロトコルであることを特徴とする請求項１乃至６の何れかに記載の画像処理装置。
【請求項８】
情報処理装置と通信するための第一のプロトコルに基づいて、前記画像処理装置において実行されるサービスを管理する管理手段を有する画像処理装置の制御方法であって、
情報処理装置から前記第一のプロトコルとは異なる第二のプロトコルに基づいて送信された、前記管理手段によって管理されるサービスを検索する為の検索要求を、受信する受信ステップと、
前記受信ステップによって受信された検索要求に応じて、前記管理手段にアクセスする為の宛先を前記情報処理装置に送信する送信ステップと、
を有することを特徴とする画像処理装置の制御方法。
【請求項９】
情報処理装置と通信可能な画像処理装置の制御方法であって、
前記画像処理装置が提供する少なくとも一つ以上のサービスを、第一のプロトコルに基づいて管理する第一の管理ステップと、
前記画像処理装置が提供する少なくとも一つ以上のサービスを、第二のプロトコルに基づいて管理する第二の管理ステップと、
前記情報処理装置から前記第二のプロトコルに基づいて送信された、前記第一の管理ステップによって管理されるサービスを検索する為の検索要求を受信する受信ステップと、
前記受信ステップによって受信された検索要求に応じて、該検索要求を満たす、前記第一の管理ステップによって管理されたサービスの宛先を前記情報処理装置に送信する送信ステップと、
を有することを特徴とする画像処理装置の制御方法。
【請求項１０】
情報処理装置と通信するための第一のプロトコルに基づいて、前記画像処理装置において実行されるサービスを管理する管理手段を有する画像処理装置に、以下のステップを実行させるためのコンピュータプログラムであって、
情報処理装置から前記第一のプロトコルとは異なる第二のプロトコルに基づいて送信された、前記管理手段によって管理されるサービスを検索する為の検索要求を、受信する受信ステップと、
前記受信ステップによって受信された検索要求に応じて、前記管理手段にアクセスする為の宛先を前記情報処理装置に送信する送信ステップと、
を有することを特徴とするコンピュータプログラム。
【請求項１１】
情報処理装置と通信可能な画像処理装置に以下のステップを実行させるためのプログラムであって、
前記画像処理装置が提供する少なくとも一つ以上のサービスを、第一のプロトコルに基づいて管理する第一の管理ステップと、
前記画像処理装置が提供する少なくとも一つ以上のサービスを、第二のプロトコルに基づいて管理する第二の管理ステップと、
前記情報処理装置から前記第二のプロトコルに基づいて送信された、前記第一の管理ステップによって管理されるサービスを検索する為の検索要求を受信する受信ステップと、
前記受信ステップによって受信された検索要求に応じて、該検索要求を満たす、前記第一の管理ステップによって管理されたサービスの宛先を前記情報処理装置に送信する送信ステップと、
を有することを特徴とするコンピュータプログラム。
【手続補正２】
【補正対象書類名】明細書
【補正対象項目名】００１０
【補正方法】変更
【補正の内容】
【００１０】
本発明は上記問題を解決するためのものであり、その目的は第一のプロトコルに基づいて画像処理装置が提供するサービスを、他のプロトコルを使用して検索することを可能にすることである。
【手続補正３】
【補正対象書類名】明細書
【補正対象項目名】００１１
【補正方法】変更
【補正の内容】
【００１１】
上記目的を達成するために本発明における画像処理装置は、情報処理装置と通信可能な画像処理装置であって、前記情報処理装置と通信するための第一のプロトコルに基づいて、前記画像処理装置において実行されるサービスを管理する管理手段と、前記情報処理装置から前記第一のプロトコルとは異なる第二のプロトコルに基づいて送信された、前記管理手段によって管理されるサービスを検索する為の検索要求を、受信する受信手段と、前記受信手段によって受信された検索要求に応じて、前記管理手段にアクセスする為の宛先を前記情報処理装置に送信する送信手段とを有することを特徴とする。
【手続補正４】
【補正対象書類名】明細書
【補正対象項目名】００１２
【補正方法】変更
【補正の内容】
【００１２】
また、上記目的を達成するために本発明における画像処理装置は、情報処理装置と通信可能な画像処理装置であって、前記画像処理装置が提供する少なくとも一つ以上のサービスを、第一のプロトコルに基づいて管理する第一の管理手段と、前記画像処理装置が提供する少なくとも一つ以上のサービスを、第二のプロトコルに基づいて管理する第二の管理手段と、前記情報処理装置から前記第二のプロトコルに基づいて送信された、前記第一の管理手段によって管理されるサービスを検索する為の検索要求を受信する受信手段と、前記受信手段によって受信された検索要求に応じて、該検索要求を満たす、前記第一の管理手段によって管理されたサービスの宛先を前記情報処理装置に送信する送信手段とを有することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明によれば、第一のプロトコルに基づいて画像処理装置が提供するサービスを、他のプロトコルを使用して検索することが可能になる。例えば、画像処理装置が提供する各Ｗｅｂサービスプログラムを修正することなく、さまざまなサービス検索方式を使用してＷｅｂサービスの検索を行うことを可能とする画像処理装置を提供することが可能となる。